(57)【要約】      （修正有）【課題】エンドキャップ容易に取り外して交換することができる、操作上極めて便利な調節可能式印章エンドキャップセットを提供する。【解決手段】結合カバー２０、エンドキャップ３０、のスタンプ面ゴムパッド４０を有する調節可能式印章のエンドキャップセットであって、該結合カバーは印章本体１０の下端に被せて設けられ、その周面には対照形状の二つの第１係合部２２が設けられており、該エンドキャップには底板部３１及び底板部の周辺から突出して伸びた対照形状の二つの突起３２が設けられ、各突起にはそれぞれ第１係合部に対応して係合可能な第２係合部３２１が設けられ、各突起の上縁には外向きに折れ曲がるウイング部３２２が並んで設けられ、該スタンプ面ゴムパッドはエンドキャップの底板部の底面に設けられる。【選択図】図１
0003131404.tif 000002
【実用新案登録請求の範囲】
【請求項１】
結合カバー、エンドキャップ、及び、スタンプ面ゴムパッドを有し、該結合カバーの底部に開口が設けられ、その周面に対称形状の二つの第１係合部が設けられる調節可能式印章エンドキャップセットであって、
該エンドキャップは、底板部及び二つの突起を有し、該底板部には貫通孔が設けられ、該二つの突起は底板部の周縁から突出して対称形状を呈し、各突起にはそれぞれ結合カバーの第１係合部に対応して係止する一つの第２係合部が設けられ、各突起の上縁には外に向けて折れ曲がるウイング部が設けられ、該スタンプ面ゴムパッドはエンドキャップの底板部の底面に設置され、該スタンプ面ゴムパッドにはエンドキャップの底板の貫通孔に対応する対置孔が設けられていることを特徴とする調節可能式印章のエンドキャップセット。
【請求項２】
エンドキャップの底板部の下縁に二つの保護壁が設けられ、該二つの保護壁は底板部の下縁から突出して対称形状を呈し、且つ、二つの突起の両側に並べられることを特徴とする、請求項１に記載の調節可能式印章エンドキャップセット。
【請求項３】
エンドキャップには結合プレートが設けられ、該結合プレートは、底板部の底面に形成され、且つ、スタンプ面ゴムパッドは、該結合プレート設置されることを特徴とする、請求項１又は請求項２に記載の調節可能式印章エンドキャップセット。
【考案の詳細な説明】
【技術分野】
【０００１】
本考案は、調節可能式印章のエンドキャップセットに関し、特に、分解することにより容易にスタンプ面のゴムパッドを交換することができる「調節可能式印章のエンドキャップセット」に関する技術である。
【背景技術】
【０００２】
周知の調節可能式印章の構造は、多くは図９に示すように、一つの本体（５０）と、一つのエンドキャップセットと、一つのグリップ（５１）有している。本体（５０）の中央には、一つの収容室が設けられ、収容室の底部に一つの開口が設けられる。本体（５０）の周面には、該収容室と連通する幾つかの貫通溝（５３）が設けられ、貫通孔（５３）は横に並んで回転可能に本体（５０）に設けられた、幾つかのスタンプホイールセットを有している。各スタンプホイールセットは、一つのスタンプホイール（５２）及び一つの回転ホイール（５４）を含んでおり、該スタンプホイール（５２）の表面には、期日、シリアルナンバー、金額等の文字や図形が刻まれ、その下縁は収容室底部の開口まで延在し、該回転ホイール（５４）の両側縁は、貫通溝（５３）の外まで延在している。
【０００３】
使用者は、指で回転ホイール（５４）を回転させて、スタンプホイール（５２）を回転させ、スタンプホイール（５２）に設けられた特定の文字や図形等を収容室の開口の位置に合わせ、これによりスタンプする文字及び図形等を組み合わせる。
【０００４】
このエンドキャップセットは、一つの結合カバー（６０）、一つのエンドキャップ（７０）、及び一つのスタンプ面ゴムパッド（８０）を有している。該結合カバー（６０）は、本体（５０）の下端に被せて設けられ、その下端開口（６２）は、スタンプホイール（５２）の下縁を突出させることが可能であり、その周面には幾つかの係止溝（６４）が設けられている。該エンドキャップ（７０）は、結合カバー（６０）の下端に、分解可能に設置される。該エンドキャップ（７０）は、一つの底板部（７２）及び底板部（７２）の周縁に環状に設けられた一つの環状壁部（７１）を有している。環状壁部（７１）の内側壁には、該係止溝（６４）に対応して、係止する幾つかの係止凸条（７３）が設けられる。
【０００５】
これにより使用者は、係止凸条（７３）を押し込んで係止溝（６４）に押し入れることができる。また、指の爪でエンドキャップ（７０）の上縁を外向きに引っ張って、係止凸条（７３）を係止溝（６４）から抜き出して、エンドキャップ（７０）を取外し可能に結合カバー（６０）の下端に設置する。
【０００６】
該エンドキャップ（７０）の底板部（７２）には、スタンプホイール（５２）の下縁を突出させる一つの貫通孔（７４）が設けられる。該スタンプ面ゴムパッド（８０）は、エンドキャップ（７０）の底板部（７２）の底部に固定され、エンドキャップの貫通孔（７４）に対応する一つの対置孔が設けられ、スタンプホイール（５２）の下縁をその中に収容してスタンプ面ゴムパッド（８０）の底面部と同じ高さにしている。対置孔の周辺のスタンプ面ゴムパッド（８０）の底面部には、文字、符号、図案等のような図及び文字が併設されており、それにより使用者が押印すれば、スタンプ面ゴムパッド（８０）上に設けられた図及び文字等が、スタンプホイール（５２）上の図及び文字と一緒に書類にスタンプされる。
【０００７】
更に、使用者は、スタンプホイール（５２）が所要の図及び文字をスタンプするよう回転ホイール（５４）を回転することができる。但し、スタンプホイール（５２）の下縁がエンドキャップ（７０）の貫通孔（７４）から突出し、且つ、貫通孔（７４）はスタンプホイール（５２）の下縁より僅かに大きいため、スタンプホイール（５２）を回転させるには、まずエンドキャップ（７０）を取り外す必要がある。つまり、スタンプホイール（５２）は、その下縁が貫通孔（７４）の周辺に妨げられて回転できない。
【０００８】
また、この調節可能式印章は、エンドキャップ（７０）に設けられたスタンプ面ゴムパッド（８０）がエンドキャップ毎に異なるため、印章本体取り付けるエンドキャップ（７０）を交換すれば、異なる図及び文字のゴムパッド（８０）をスタンプホイール（５２）に組み合わせて使用できる。これにより様々な図及び文字の組合せが可能であり、新たな調節可能式印章を購入する必要がなくなり、コスト削減及び資源の浪費防止に資することができる。従って、使用者は又は販売業者は、一の印章本体（５０）を所有すれば、他の文字又は図形のスタンプ面ゴムパッドが設けられたエンドキャップセットと組み合わせて使用可能であるため、従来のように複数の印章本体を所有する必要がない。
【０００９】
しかし、上記のエンドキャップセットのエンドキャップ（７０）は、着脱可能に結合カバー（６０）の下端に設置されるため、その係止凸条（７３）の突出長が過度であると、結合カバー（６０）の下縁が邪魔となって、容易に係止溝（６４）に押し込むことが困難になり、一方、突出長が不足すると、容易に係止溝（６４）から外れてしまう。また、エンドキャップ（７０）の環状壁部（７１）の上縁が結合カバー（６０）下端周面と密着しているため、使用者は指の爪を両者の隙間に挿入しなければ、エンドキャップ（７０）の係止凸条（７３）を係止溝（６４）から抜き出すことができず、エンドキャップ（７０）を取り外しは極めて不便である。更に、その環状壁部（７１）の上縁は、切り欠きを有しさないため、使用者が指の爪を環状壁部（７１）と結合カバー（６０）との間の隙間に挿入したとしても、該隙間を広げることが困難であり、係止凸条（７３）を係止溝（６４）から抜き出すことも困難である。
【００１０】
図１０に図示した従来の他の調節可能式印章は、エンドキャップの結合カバー（６０）の周面にいくつかの被せ棒（６６２）が設けられ、各被せ棒（６６２）は結合カバー（６０）上に設けられている。該結合カバー（６０）の各被せ棒（６６２）の両端の間には、収容溝（６６１）が設けられている。そして、エンドキャップ（７０）の環状壁部（７１）の上縁には、収容溝（６６１）に対応して差し込まれる係止フック（７６）が伸びて被せ棒（６６２）に係止される。
【００１１】
使用者は、係止フック（７６）のフック部（７６１）を収容溝（６６１）に押し込むことで、係止フック（７６）を被せ棒（６６２）から抜き取り、エンドキャップ（７０）を結合カバー（６０）から取り外すことができる。
【００１２】
しかし、係止フック（７６）のフック部（７６１）及び収容溝（６６１）のサイズがいずれも極めて小さいため、使用者は、依然として指の爪を使わなければ、フック部（７６１）を収容溝（６６１）から押し出して、被せ棒（６６２）から抜き取ることができず、エンドキャップの着脱は極めて不便である。
【考案の開示】
【考案が解決しようとする課題】
【００１３】
本考案は、従来の調節可能式印章エンドキャップセットにおける、エンドキャップを容易に着脱できず、使用上で不便であるという問題を解決する、新しい調節可能式印章エンドキャップセットを提供することを課題としている。
【課題を解決するための手段】
【００１４】
請求項１に記載の考案は、結合カバー、エンドキャップ、及び、スタンプ面ゴムパッドを有し、該結合カバーの底部に開口が設けられ、その周面に対称形状の二つの第１係合部が設けられる調節可能式印章エンドキャップセットであって、該エンドキャップは、底板部及び二つの突起を有し、該底板部には貫通孔が設けられ、該二つの突起は底板部の周縁から突出して対称形状を呈し、各突起にはそれぞれ結合カバーの第１係合部に対応して係止する一つの第２係合部が設けられ、各突起の上縁には外に向けて折れ曲がるウイング部が設けられ、該スタンプ面ゴムパッドはエンドキャップの底板部の底面に設置され、該スタンプ面ゴムパッドにはエンドキャップの底板の貫通孔に対応する対置孔が設けられていることを特徴とする、調節可能式印章のエンドキャップセットを特徴とした。
【００１５】
請求項２に記載の考案は、エンドキャップの底板部の下縁に二つの保護壁が設けられ、該二つの保護壁は底板部の下縁から突出して対称形状を呈し、且つ、二つの突起の両側に並べられることを特徴とする、請求項１に記載の調節可能式印章エンドキャップセットを特徴とした。
【００１６】
請求項３に記載の考案は、エンドキャップには結合プレートが設けられ、該結合プレートは、底板部の底面に形成され、且つ、スタンプ面ゴムパッドは、該結合プレート設置されることを特徴とする、請求項１又は請求項２に記載の調節可能式印章エンドキャップセットを特徴とした。
【考案の効果】
【００１７】
本考案の調節可能式印章エンドキャップセットは、第１係合部と第２係合部との相互の係止によって、エンドキャップ（３０）を容易に結合カバー（２０）の下端に組み付けることができる。詳しくは、そのエンドキャップ（３０）の突起（３２）の上縁に外向きに折れ曲がったウイング部（３２２）が設けられているため、使用者は手の指の腹で軽くウイング部に触れて、それを外に引っ張るだけで、第１係合部と第２係合部とを互いに離すことが可能であり、エンドキャップ（３０）の着脱動作は使用者にとって極めて簡便である。
【００１８】
また、本考案の調節可能式印章エンドキャップセットは、エンドキャップセットを容易に交換可能できるため、使用者又は販売者は、一の印章本体を所有すれば、印章本体に他のエンドキャップセットと組み合わせて使用でき、従来のように、異なるスタンプ面を有する各種の印章本体を揃える必要が無く経済性に優れている。
【考案を実施するための最良の形態】
【００１９】
本考案は、調節可能式印章エンドキャップセットには結合カバー、エンドキャップ、スタンプ面ゴムパッドが設けられる。該結合カバーは、印章本体の下端に被せて設けられ、該本体の下端には開口が設けられ、内部にはスタンプホイールが設けられる（該本体の構成は周知の技術と同一なので説明を省略する）。該結合カバーの底部には、開口が設けられ、その周面には対称形状の二つの第１係合部が設けられる。該エンドキャップには、底板部及び二つの突起が設けられ、該底板部には、貫通孔が設けられ、該二つの突起は、底板部の周縁から突出して対称形状を呈し、各突起には、それぞれ結合カバーの第１係合部に対応して係止する一つの第２係合部が設けられ、各突起の上縁には、外向きに折れ曲がったウイング部が設けられ、該スタンプ面ゴムパッドは、エンドキャップの底板部の底面に設置され、エンドキャップの底板の貫通孔に対応する一つの対置孔が設けられる。
【００２０】
本体に設けられたスタンプホイールは、その下縁が本体下端の開口、結合カバー下端の開口及びエンドキャップの貫通孔を通って、スタンプ面ゴムパッドの対置孔まで延在してスタンプ作業を可能にする。
【００２１】
本考案のエンドキャップは、その第２係合部と第１係合部との相互の係止によって安定して結合カバーの下端に組み付けられ、その突起の上縁には外向きに折れ曲がったウイング部が設けられ、使用者が手の指の腹で軽く触れることができるようになっている。これにより使用者が指の腹でウイング部を外向きに引っ張るだけで、第１及び第２係合部を互いに離すことができ、エンドキャップを結合カバーから取り外して、エンドキャップを容易に交換することができる。
【００２２】
従って、従来の調節可能式印章のエンドキャップを取り外すには、指の爪によって係止凸条を係止溝から抜き取り、又は、係止フックを収容溝から抜き取らなければならいなため、本考案の調節可能式印章エンドキャップセットは、従来の調節可能式印章と比較して、容易にエンドキャップを交換できる。
【実施例】
【００２３】
図１及び図２は、本考案の調節可能式印章エンドキャップセットの好ましい実施例を図示したものである。本考案の調節可能式印章エンドキャップセットは、図１又は図２に図示したように、底部に開口（２１）が設けられ、周面に対称形状の二つの第１係合部（２２）を併設した結合カバー（２０）を有し、底板部（３１）及び二つの突起（３２）を含むエンドキャップ（３０）を有し、該底板部（３１）には貫通孔（３３）が設けられ、該二つの突起（３２）は底板部（３１）の周縁から突出して対称形状を呈すると共に、各突起（３２）にはそれぞれ結合カバー（２０）の第１係合部（２２）に対応して係止する第２係合部（３２１）が設けられ、各突起（３２）の上縁には外に向けて折れ曲がったウイング部（３２２）が設けられる。そして、エンドキャップ（３０）の底板部（３１）の底面に設置され、対置孔（４１）がエンドキャップ（３０）の底板部（３１）の貫通孔（３３）に対応するスタンプ面ゴムパッド（４０）を有している。
【００２４】
図４に図示したように、結合カバー（２０）は、印章本体（１０）の下端に設置可能であり、該本体（１０）の下端には、結合カバー（２０）の下端の開口（２１）と連通する開口が設けられ、本体（１０）内部には、スタンプホイール（１１）が並べて設けられ、スタンプホイール（１１）の下縁が、本体（１０）の下端の開口と結合カバー（２０）の開口（２１）、及び、エンドキャップ（３０）の貫通孔（３３）を貫通して、スタンプ面ゴムパッド（４０）の対置孔（４１）まで延在する。
【００２５】
図３及び図４に図示したように、本考案の調節可能式印章エンドキャップセットは、第１係合部（２２）と第２係合部（３２１）との相互の係止によって、該エンドキャップ（３０）は、結合カバー（２０）の下端に確実に組みつけられる。
【００２６】
該エンドキャップ（３０）のウイング部（３２２）は、突起（３２）の上縁から外に向かって折れ曲がっているため、使用者は、手の指の腹で軽くエンドキャップ（３０）のウイング部（３２２）に触れ、ウイング部（３２２）を外に引っ張れば、第２係合部（３２１）を第１係合部（２２）から離脱させ、エンドキャップ（３０）を簡単に結合カバー（２０）から取り外すことができる。
【００２７】
本実施例において、該エンドキャップ（３０）の底板部（３１）の下縁には、さらに二つの保護壁（３４）が設けられている。この二つの保護壁（３４）は、底板部（３１）の下縁から突出して対称形状を呈して、それぞれ該二つの突起（３２）の両側に併設されている。これによって、エンドキャップ（３０）が結合カバー（２０）の下端に組み合わされる際に、該二つの突起（３２）及び二つの保護壁（３４）はいずれも結合カバー（２０）の周面に支えられて、エンドキャップ（３０）と結合カバー（２０）との結合状態をより安定させる。
【００２８】
本実施例において、該エンドキャップ（３０）は結合プレート（３５）を有し、該結合プレート（３５）は底板部（３１）の底面に設けられ、スタンプ面ゴムパッド（４０）は、該結合プレート（３５）上に設けられる。そして、該結合プレート（３５）の面積は、底板部（３１）よりも大きくてもよい。つまり、結合プレート（３５）の形状は、図５に図示した円形、図６に図示した楕円形、図７に図示した略正方形、図８に図示した略長方形矩形、その他六角形又は幾何学形状等の任意の形状又は面積にすることができる。そして、それら任意の形状又は面積に対応するスタンプ面ゴムパッド（４０）を設ける。
【００２９】
本実施例では、結合カバー（２０）に設けられる第１係合部（２２）は、凸条であり、エンドキャップ（３０）に設けられる第２係合部（３２１）は貫通溝であり、両者間の凹凸が係止することで、エンドキャップ（３０）は安定して結合カバー（２０）の下端に組み付けられる。
【図面の簡単な説明】
【００３０】
【図１】本考案の調節可能式印章エンドキャップセットの分解図である。
【図２】図１の調節可能式印章エンドキャップセットの部分拡大図である。
【図３】図１の調節可能式印章のエンドキャップセットの立体図である。
【図４】図１の調節可能式印章のエンドキャップセットの部分拡大側面図である。
【図５】本考案の調節可能式印章エンドキャップセットの結合プレートが円形である状態を図示する底面図である。
【図６】本考案の調節可能式印章エンドキャップセットの結合プレートが楕円形である状態を図示する底面図である。
【図７】本考案の調節可能式印章エンドキャップセットの結合プレートが略正方形である状態を図示する底面図である。
【図８】本考案の調節可能式印章エンドキャップセットの結合プレートが略長方形である状態を図示する底面図である。
【図９】従来の調節可能式印章の分解図である。
【図１０】他の従来の調節可能式印章の分解図である。
【符号の説明】
【００３１】
１０    印章本体
２０    結合カバー
２１    開口
２２    第一係合部
３０    エンドキャップ
３１    底板部
３２    突起
３３    貫通孔
３４    保護壁
３５    結合プレート
３２１  第２係合部
３２２  ウイング部
４０    スタンプ面パッド
４１    対置孔
５１    グリップ
５２    スタンプホイール
５３    貫通溝
５４    回転ホイール
６０    結合カバー
６２    開口
６４    係止溝
６６１  収容溝
６６２  被せ棒
７０    エンドキャップ
７１    環状壁部
７２    底板部
７３    係止凸条
７４    貫通孔
７６    係止フック
７６１  フック部
８０    スタンプ面ゴムパッド
【図１】
0003131404.tif 000003
【図２】
0003131404.tif 000004
【図３】
0003131404.tif 000005
【図４】
0003131404.tif 000006
【図５】
0003131404.tif 000007
【図６】
0003131404.tif 000008
【図７】
0003131404.tif 000009
【図８】
0003131404.tif 000010
【図９】
0003131404.tif 000011
【図１０】
0003131404.tif 000012